(57)【要約】【課題】  乾燥時の空気温度を低くして衣類の熱損傷を低減することができ、かつ、乾燥速度が低下しない衣類乾燥機および洗濯乾燥機を提供することである。【解決手段】  衣類乾燥機は、加熱された空気の対流を利用して衣類６を乾燥させるために空気を加熱する空気加熱ヒータ１０と、輻射熱を利用して衣類６を乾燥させるために熱を放射するハロゲンヒータ２１とを備え、空気加熱ヒータ１０とハロゲンヒータ２１の出力比率を制御して衣類６を乾燥させるものである。洗濯乾燥機１００は、上記の特徴を有する衣類乾燥機を備える。【選択図】        図１
2005304992.tif 000002
【特許請求の範囲】
【請求項１】
加熱された空気の対流を利用して衣類を乾燥させるために空気を加熱する空気加熱手段と、
輻射熱を利用して衣類を乾燥させるために熱を放射する輻射加熱手段とを備え、
前記空気加熱手段と前記輻射加熱手段の出力比率を制御して衣類を乾燥させる、衣類乾燥機。
【請求項２】
前記空気加熱手段のみを用いて乾燥時間ｔ１、乾燥雰囲気の最高温度Ｔ１の条件で衣類を乾燥した場合に得られる乾燥度Ｒ１とほぼ同一の乾燥度Ｒ２が温度Ｔ１よりも低い乾燥雰囲気の最高温度Ｔ２で得られるように、前記空気加熱手段と前記輻射加熱手段とを併用し、前記空気加熱手段と前記輻射加熱手段の出力比率を制御して、前記乾燥時間ｔ１とほぼ同一の乾燥時間ｔ２で衣類を乾燥させる、請求項１に記載の衣類乾燥機。
【請求項３】
前記空気加熱手段と前記輻射加熱手段との出力比率がほぼ８：２になるように制御して衣類を乾燥させる、請求項１または請求項２に記載の衣類乾燥機。
【請求項４】
前記輻射加熱手段は、色温度が２２００Ｋ付近の光放射体を含む、請求項１から請求項３までのいずれか１項に記載の衣類乾燥機。
【請求項５】
前記輻射加熱手段から放射された熱の伝導を利用して衣類を乾燥させるための熱伝導手段をさらに備える、請求項１から請求項４までのいずれか１項に記載の衣類乾燥機。
【請求項６】
前記輻射加熱手段は、衣類に光を放射する光放射ヒータを含み、
前記熱伝導手段は、前記光放射ヒータから放射された熱を吸収し、その吸収された熱を衣類に伝導することができるように衣類を収容する容器を含む、請求項５に記載の衣類乾燥機。
【請求項７】
前記容器の外周壁面は、可視光線吸収率と赤外線吸収率が相対的に高く、赤外線放射率が相対的に低くなるように処理された表面を有する、請求項６に記載の衣類乾燥機。
【請求項８】
請求項１から請求項７までのいずれか１項に記載の衣類乾燥機を備えた、洗濯乾燥機。
【発明の詳細な説明】
【技術分野】
【０００１】
この発明は、一般的には衣類乾燥機および洗濯乾燥機に関し、特定的には衣類乾燥機および洗濯乾燥機における乾燥性能の改善に関するものである。
【背景技術】
【０００２】
従来の衣類乾燥機または洗濯乾燥機のような乾燥装置は、装置内に高温の空気を供給することにより衣類を加熱し、乾燥させるものが一般的である。このような乾燥装置では、乾燥速度を上げるために、ヒータ容量を大きくして装置内の空気をより高温にする等の改良がなされてきた。しかし、乾燥温度の上昇に伴い、黄ばみ（変色）等の衣類の熱損傷も増してしまうという問題があった。
【０００３】
そこで、たとえば、特開平３−８０８９９号公報（特許文献１）には、耐熱度の低い布や衣類が乾燥できる熱源部構造を備えた衣類乾燥機が提案されている。この衣類乾燥機は、たとえば、耐熱温度の低い衣類の乾燥時には出力値の低い半導体ヒータのみに電源印加させるように構成されている。
【０００４】
また、特開平５−１３７８９４号公報（特許文献２）には、衣類乾燥中、衣類に直接熱風が当ることが少なくなり、衣類の収縮および変色が防止できる衣類乾燥機が提案されている。この衣類乾燥機は、衣類の投入口部の上方側の前壁固定部に形成された熱風吹出口より回転ドラム内に送風されて衣類が乾燥されるように構成されている。
【特許文献１】特開平３−８０８９９号公報
【特許文献１】特開平５−１３７８９４号公報
【発明の開示】
【発明が解決しようとする課題】
【０００５】
しかしながら、特開平３−８０８９９号公報に記載された衣類乾燥機では、熱に弱い衣類を低温で乾燥させ、熱の影響を受け難い衣類を高温で乾燥させることにより熱損傷を低減するため、低温で乾燥するものと高温で乾燥するものに衣類を仕分けする手間がかかる上、衣類を低温で乾燥させたときには乾燥時間が長くなってしまうという問題がある。
【０００６】
また、特開平５−１３７８９４号公報に記載された衣類乾燥機では、衣類温度が上昇し難いため、乾燥時間が長くなってしまうという問題がある。
【０００７】
そこで、この発明の目的は、乾燥時の空気温度を低くして衣類の熱損傷を低減することができ、かつ、乾燥速度が低下しない衣類乾燥機および洗濯乾燥機を提供することである。
【課題を解決するための手段】
【０００８】
この発明にしたがった衣類乾燥機は、加熱された空気の対流を利用して衣類を乾燥させるために空気を加熱する空気加熱手段と、輻射熱を利用して衣類を乾燥させるために熱を放射する輻射加熱手段とを備え、空気加熱手段と輻射加熱手段の出力比率を制御して衣類を乾燥させるものである。
【０００９】
本発明の衣類乾燥機では、熱源として空気加熱手段と輻射加熱手段とを併用して、衣類を加熱する。熱源のうち、空気加熱手段は、出力比率に応じて除湿機能に支障をきたさない程度に空気を加熱することにより、空気温度を過度に上昇させないで衣類の乾燥に寄与する。一方、輻射加熱手段は、出力比率に応じて空気加熱手段の出力を低くした分の出力で、空気を介さないで衣類を直接加熱し、衣類の乾燥に寄与する。これにより、出力比率に応じて、空気温度の過度の上昇を抑制することにより、乾燥時の空気温度を低くして衣類の熱損傷を低減することができるとともに、乾燥速度を低下させないで効率のよい衣類の乾燥を実現することができる。
【００１０】
この発明にしたがった衣類乾燥機は、空気加熱手段のみを用いて乾燥時間ｔ１、乾燥雰囲気の最高温度Ｔ１の条件で衣類を乾燥した場合に得られる乾燥度Ｒ１とほぼ同一の乾燥度Ｒ２が温度Ｔ１よりも低い乾燥雰囲気の最高温度Ｔ２で得られるように、空気加熱手段と輻射加熱手段とを併用し、空気加熱手段と輻射加熱手段の出力比率を制御して、乾燥時間ｔ１とほぼ同一の乾燥時間ｔ２で衣類を乾燥させるのが好ましい。上記の構成により、空気加熱手段のみを用いた場合に比べて乾燥性能を低下させることなく、乾燥時の空気温度と衣類温度を低下させることができ、衣類の変色等の衣類の熱損傷を抑制することができる。
【００１１】
また、この発明にしたがった衣類乾燥機においては、上記の作用効果を達成するために空気加熱手段と輻射加熱手段の出力比率がほぼ８：２になるように制御して衣類を乾燥させるのが好ましい。
【００１２】
さらに、この発明にしたがった衣類乾燥機においては、輻射加熱手段は、色温度が２２００Ｋ付近の光放射体を含むのが好ましい。この場合、輻射加熱手段に与えられるエネルギのうち、大部分のエネルギを放射エネルギに変換することができ、また、その放射エネルギのうち大部分を近赤外線波長域に集中させることができる。このため、高い効率で加熱することができるとともに、乾燥対象物である衣類の色調に依存せずに衣類による熱吸収とそれによる発熱作用を得ることができる。
【００１３】
本発明の衣類乾燥機においては、輻射加熱手段から放射された熱の伝導を利用して衣類を乾燥させるための熱伝導手段をさらに備えるのが好ましい。これにより、輻射加熱手段から放射される熱を有効に活用することができる。
【００１４】
また、輻射加熱手段が衣類に光を放射する光放射ヒータを含み、熱伝導手段は、光放射ヒータから放射された熱を吸収し、その吸収された熱を衣類に伝導することができるように衣類を収容する容器を含むのが好ましい。これにより、容器を通じて衣類を加熱することができる。
【００１５】
さらに、容器の外周壁面は、可視光線吸収率と赤外線吸収率が相対的に高く、赤外線放射率が相対的に低くなるように処理された表面を有するのが好ましい。この場合、容器の外周壁面は輻射加熱手段からの放射エネルギを高い効率で吸収して熱に変換するとともに、それによって加熱された容器の外周壁面は外部に熱を放射し難いので、容器の内周壁面を通じて衣類側に熱を効果的に伝導することができる。
【００１６】
この発明にしたがった洗濯乾燥機は、上述した特徴のいずれかを有する衣類乾燥機を備える。
【発明の効果】
【００１７】
以上のようにこの発明によれば、空気加熱手段と輻射加熱手段を併用し、出力比率に応じた加熱により、乾燥性能を低下させることなく、乾燥時の空気温度と衣類温度を低下させることができ、衣類の変色等の衣類の熱損傷を抑制することができる。
【発明を実施するための最良の形態】
【００１８】
以下、この発明の一つの実施の形態を図に基づいて説明する。
【００１９】
図１は、この発明の一つの実施の形態として衣類乾燥機を備えた洗濯乾燥機の概略的な構成を示す側断面図である。図１に示すように、洗濯乾燥機１００は、本体１と、本体１の内部に取り付けられた水槽２と、水槽２の内部で回転可能に支持された容器としての回転ドラム３とを備える。
【００２０】
回転ドラム３の底には、モータ４で回転ドラム３を正逆に回転させる回転機構部が取り付けられている。回転ドラム３内の衣類を攪拌するためにバッフル５が回転ドラム３の内周壁面に取り付けられている。衣類６を出し入れすることができ、かつ、気密性と水密性を保つためにドアユニット７が回転ドラム３の開口部に対して開閉可能に取り付けられている。ドアユニット７には、外部から衣類６の状態を視認することができるようにドアガラス７１が設けられている。
【００２１】
乾燥装置は、循環ファン９と空気加熱ヒータ１０と光ヒータユニット２０とを備える。空気加熱手段としての空気加熱ヒータ１０は空気を加熱する。送風手段としての循環ファン９は、空気加熱ヒータ１０によって加熱された空気が衣類からの水分を蒸発させ、除湿するための経路として水槽２の内部、回転ドラム３の内部および冷却器８を連通して空気を循環させる。輻射加熱手段としての光ヒータユニット２０は、光放射ヒータであるハロゲンヒータ２１を備えており、水槽２に設置され、回転ドラム３の外周壁面と衣類６とに、矢印Ｐで示す方向に光を直接、照射することができるように構成されている。回転ドラム３の外周壁面には、ハロゲンヒータ２１から放射される光を効率良く熱に変換し、放熱が少ない表面処理またはコーティングである光吸収表面処理層３１が形成されている。また、回転ドラム３の外周壁面には、ハロゲンヒータ２１から放射される光が通過し、衣類６を照射することができるように回転ドラム３の内部に貫通する多数の小孔３２が形成されている。光ヒータユニット２０には、ハロゲンヒータ２１から放射された光を回転ドラム３の外周壁面に向かう方向へ反射させるために反射板２２が設けられている。また、光ヒータユニット２０には、ハロゲンヒータ２１を洗濯用水と脱水される水とから保護するために光透過性が高い耐熱ガラス板２３が設けられている。光ヒータユニット２０は、反射板２２が背面になるように水槽２の外周壁面に固着され、耐熱ガラス板２３が水槽２の外周壁面に密着固定されるようにして、取り付けられている。具体的には、耐熱性（熱絶縁性）と防水性を備えたシール材または接着剤等を用いて水槽２と耐熱ガラス板２３をシールした状態で、光ヒータユニット２０が水槽２の外周壁面にビス等で固定されている。
【００２２】
次に、以上のようにして構成された本発明の洗濯乾燥機の動作について説明する。
【００２３】
図示しない制御手段の信号により、モータ４が正逆に回転し、モータ４に直接に接続された回転ドラム３も同様に正逆に回転する。この回転により、回転ドラム３内の内周壁面に固定して設けられたバッフル５が衣類６を持ち上げ、下方に落下させる動作を繰り返すことにより、洗い工程は行なわれる。このようにして、洗い工程が、いわゆる叩き洗い効果を利用して行なわれる。
【００２４】
洗い工程が終了すると、排水ポンプ１１を駆動させて水槽２内の水は排水ホース１２から排出される。その後、すすぎ工程、脱水工程へ移行して洗濯工程が終了する。
【００２５】
次に、乾燥工程の動作について説明する。
【００２６】
洗濯工程を終了し、乾燥運転を開始すると、回転ドラム３の正逆の回転により、衣類６の上下運動による攪拌作用が起きるとともに、循環ファン９と空気加熱ヒータ１０に電力が供給され、空気温度が上昇する。この加熱空気によって加熱された衣類から水分が蒸発して冷却器８内へ流入する。冷却器８内には、対向配置された上方の冷却水入口管１３から冷却水が供給されているので、蒸発した水分が冷却されて凝縮する。この凝縮水は、排水ポンプ１１側へ流れて冷却水と混合して排水される。除湿された空気は再び空気加熱ヒータ１０に還流して加熱される。加熱空気は回転ドラム３内に流入して衣類６を加熱して、衣類６に含まれている水分を蒸発させる。この繰り返しによって衣類６の乾燥が進行する。この乾燥工程で用いられる衣類の加熱源は空気加熱ヒータ１０である。一般的に空気加熱ヒータ１０は、空気循環ダクト内に設けられ、抵抗発熱線を金属被覆して形成されたシーズヒータが用いられる。
【００２７】
本発明の洗濯乾燥機１００は、乾燥工程において空気加熱ヒータ１０により衣類６を加熱するだけでなく、同時に光放射ヒータにより衣類６を加熱することができるように構成されたものである。この実施の形態では、水槽２に取り付けた光ヒータユニット２０は、光放射ヒータとして、その内部に色温度が２２００Ｋ付近のハロゲンヒータ２１を備えている。ハロゲンヒータ２１は、回転ドラム３の外周壁面と、回転ドラム３の外周壁面から内部に貫通する多数の小孔３２とを通じて、矢印Ｐで示す方向に光を衣類６に照射することができるように設けられている。
【００２８】
また、回転ドラム３の外周壁面には、ハロゲンヒータ２１のエネルギを９５％以上吸収し、かつ、吸収発熱した熱を赤外線として放射し難い低放射率の表面処理またはコーティングである光吸収表面処理層３１が形成されている。
【００２９】
ハロゲンヒータ２１を点灯させると、回転ドラム３の外周壁面が光を高効率で吸収して加熱されて、加熱された外周壁面を通じて回転ドラム３内に収容されている衣類６に熱が伝導される。この熱の伝導とともに、回転ドラム３の外周壁面から内部に貫通した多数の小孔３２から漏れた光が直接、衣類６に照射され、衣類６の持つ吸収率で直接、熱変換作用が行なわれ、衣類６の加熱が行なわれる。ここで、回転ドラム３の外周壁面の加熱量と衣類６への光輻射量とは小孔３２の開口率で調整される。開口率は、回転ドラム３の外周壁面の面積に対する小孔３２の開口面積の合計値の割合である。小孔３２の開口率としては効果的な設計値が存在するが、ヒータエネルギの１／２ずつを回転ドラム３の外周壁面の加熱量と衣類６への光輻射量とで振り分けるとすれば、小孔３２の開口率は５０％程度が望ましい。小孔３２の大きさは、衣類の脱水性または空気通過性とドラム強度との関係を考慮する必要があり、むやみに大きくできないが、３．５ｍｍ程度が好ましい。回転ドラム３の回転中において衣類６への光照射を均一にするために、小孔３２は回転ドラム３の外周壁面に均一に分布して形成されるのが好ましい。
【００３０】
したがって、回転ドラム３の内周壁面では熱の伝導によって衣類６が加熱され、衣類６に照射された光は熱の輻射（放射）によって衣類６を加熱することになる。一方、空気加熱ヒータ１０は、熱風（加熱された空気）の強制対流による熱伝達で従来通り、衣類６を加熱する。そうすると、従来の熱風（加熱された空気）の強制対流による加熱のみと比較すると、ほぼ同程度に衣類６を加熱し、乾燥させることができる。また、この発明の洗濯乾燥機では、加熱手法として、熱伝達の３要素である熱の輻射、対流、伝導をすべて使った効率的な加熱ができるとともに、熱風温度に依存しない熱の伝導、輻射によって加熱量の増加を得ることができる。
【００３１】
このように、輻射加熱手段としてのハロゲンヒータ２１から放射された熱の伝導を利用して衣類を乾燥させるための熱伝導手段として回転ドラム３の外周壁面と内周壁面を用いることにより、ハロゲンヒータ２１から放射される熱を有効に活用することができる。言い換えれば、熱伝導手段としての回転ドラム３は、ハロゲンヒータ２１から放射された熱を吸収し、その吸収された熱を衣類６に伝導することができるように衣類６を収容することにより、回転ドラム３を通じて衣類６を加熱することができる。
【００３２】
また、この実施の形態で用いられる色温度が２２００Ｋ付近のハロゲンヒータ２１では、そのエネルギ分布が波長域として約０．４μｍ〜３μｍの範囲にあり、エネルギのピークは約１〜１．５μｍ付近の近赤外線域にある。このような色温度の高い光ヒータは、投入エネルギの約９４％が放射エネルギに変換され、そのうち８６％が赤外線として放射され、残りの８％が可視光線として放射される特性があるので、非常に熱損失の少ない高効率の輻射加熱源である。
【００３３】
一般的に輻射エネルギ（放射熱量：Ｗ/ｃｍ2）は絶対温度の四乗に比例して大きくなるため、熱源の温度が高くなる光源ほど大きな放射熱量が得られる。ただし、色温度が上昇すれば、その放射波長は短波長側へシフトし、太陽光に近似するような色温度が５５００Ｋ付近では、ピーク波長が０．５μｍ付近の可視光線域になる。このため、衣類６への放射を考えた場合、色温度が上昇すれば、衣類６の色調によって吸収率が大きく変化し、白系布と黒系布では加熱量に大きな差が出る不都合が生じることから、２２００Ｋ付近の色温度のヒータが好適である。このような色温度では、可視光線が全放射量の約７％程度と少なく、衣類の色調に依存せず、比較的大きな熱放射を得ることができる。
【００３４】
このようにしてハロゲンヒータ２１に与えられるエネルギのうち、大部分のエネルギを放射エネルギに変換することができ、また、その放射エネルギのうち大部分を近赤外線波長域に集中させることができる。このため、高い効率で加熱することができるとともに、乾燥対象物である衣類６の色調に依存せずに衣類６による熱吸収とそれによる発熱作用を得ることができる。
【００３５】
図２は、光ヒータユニット２０の構成例を示す概略的な側断面図（Ａ）と正面図（Ｂ）である。正面図（Ｂ）では、耐熱ガラス板２３を取り外した状態を示す。
【００３６】
図２に示すように、ハロゲンヒータ２１の裏面には光反射効率の高い反射板２２が設けられ、回転ドラム３の外周壁面側に向く光照射面には光透過率の高い耐熱ガラス板２３が設けられている。耐熱ガラス板２３でハロゲンヒータ２１を覆うとともに、光ヒータユニット２０の筐体は金属製の防水ケースからなる。防水ケースはステンレス鋼、亜鉛めっき鋼板等の一般的な金属板で形成すればよい。このようにして、光ヒータユニット２０は洗い、すすぎ、脱水工程で飛散する水を遮蔽することができる防水性のヒータユニット仕様になっている。図２に示す構成例では、ハロゲンヒータ２１はリング状の形態を有するが、取り付け面積を低減するために直線状の管のものを用いてもよい。光の吸収がほとんどないため、反射板２２の材質はアルミニウムを採用するのが最も好ましく、金属光沢のあるステンレス鋼等を用いてもよい。耐熱ガラス板２３の材質は、耐熱性と熱衝撃性の高い材料であればよく、たとえば結晶性ガラスを採用するのが好ましい。
【００３７】
回転ドラム３の外周壁面に形成される光吸収表面処理層３１は、可視光線吸収率と赤外線吸収率の高い特性を持ち、かつ、赤外線放射率の低い特性を持つものである。このような光吸収表面処理層３１を回転ドラム３の外周壁面に形成することによって、回転ドラム３の外周壁面はハロゲンヒータ２１の放射エネルギ範囲（波長域で０．４μｍ〜３μｍ）を効率良く吸収して加熱される。上記の波長域が可視光線域を含む理由は、可視光線域のウエイトはハロゲンヒータ２１の全放射量のうち約７％程度で少ないが、無駄にはできないためである。光吸収表面処理層３１を回転ドラム３の外周壁面に形成する理由は以下のとおりである。
【００３８】
加熱により回転ドラム３の外周壁面の温度が上昇すると、回転ドラム３の外周壁面から赤外線（波長域で約２．５μｍ〜３０μｍ）として熱が水槽２の内周壁面に放射されるため、回転ドラム３自体の温度が上昇し難くなる。この熱放射をできるだけ少なくすることができるように、すなわち、赤外線放射率を低くするために、光吸収表面処理層３１として、効率の高い太陽熱温水器等の集熱板材料に使用されるような選択吸収被膜または選択吸収塗料等を施す必要がある。たとえば、光吸収率が０．９３〜０．９６、赤外放射率が０．２〜０．４の特性を示す被膜または塗膜を回転ドラム３の外周壁面に形成する必要がある。具体的には、商品名がオキツモソーラーペイントＡＰ−１Ａの塗料を施す、または、ステンレス鋼自体を高温で熱処理して得られる高温酸化被膜処理を施すのが好ましい。
【００３９】
このようにして、回転ドラム３の外周壁面は、可視光線吸収率と赤外線吸収率が相対的に高く、赤外線放射率が相対的に低くなるように処理された表面を有することにより、回転ドラム３の外周壁面はハロゲンヒータ２１からの放射エネルギを高い効率で吸収して熱に変換するとともに、それによって加熱された回転ドラム３の外周壁面は外部に熱を放射し難いので、回転ドラム３の内周壁面を通じて衣類６側に熱を効果的に伝導することができる。
【００４０】
以上のように、本発明の洗濯乾燥機１００では、熱源として空気加熱ヒータ１０とハロゲンヒータ２１とを併用して、衣類６を加熱する。熱源のうち、空気加熱ヒータ１０は、出力比率に応じて除湿機能に支障をきたさない程度に空気を加熱することにより、空気温度を過度に上昇させないで衣類６の乾燥に寄与する。一方、ハロゲンヒータ２１は、出力比率に応じて空気加熱ヒータ１０の出力を低くした分の出力で、空気を介さないで衣類６を直接加熱し、衣類６の乾燥に寄与する。これにより、出力比率に応じて、空気温度の過度の上昇を抑制することにより、乾燥時の空気温度を低くして衣類６の熱損傷を低減することができるとともに、乾燥速度を低下させないで効率のよい衣類６の乾燥を実現することができる。
【実施例】
【００４１】
上記の実施の形態にしたがって構成された洗濯乾燥機１００の実験機を製作し、ＪＩＳ  Ｃ９６０８に準拠して標準衣類２ｋｇを乾燥させた結果の一例を以下に示す。
【００４２】
洗濯乾燥機１００には、空気加熱ヒータと光放射ヒータ（色温度が２２００Ｋ）とを設けた。循環風量を増加しない、回転ドラムの容量を増加しない条件で、出力（Ｗ）比率を変化させて空気加熱ヒータ（空気ヒータ）と光放射ヒータ（光ヒータ）とを同時に併用して８０分間加熱した場合の衣類の乾燥度（％）を表１と図３に示す。
【００４３】
【表１】
2005304992.tif 000003
乾燥度Ｒ（％）は次の式で示される。
【００４４】
Ｒ（％）＝（Ｗｓ／Ｗｘ）×１００
ここで、Ｗｓは乾燥試験前の洗濯物の質量（ｋｇ）、Ｗｘは乾燥試験後の洗濯物の質量（ｋｇ）である。ＪＩＳ  Ｃ９６０８に準拠して行なった試験である。
【００４５】
表１と図３から、空気加熱ヒータのみ１３５０Ｗで乾燥させた場合の乾燥度は９９．６％であり、空気加熱ヒータ１０５０Ｗと光放射ヒータ３００Ｗを併用した場合の乾燥度９７．２％より少し上昇しているものの、乾燥度は飽和に近くなっていることがわかる。光放射ヒータの比率をこれ以上下げると、光放射ヒータが熱源としてほとんど機能せず、光放射ヒータの出力分だけ単に出力の低い空気加熱ヒータのみで乾燥させるような状況になってしまう。これにより、光放射ヒータによる利点を有し、かつ乾燥性能の低下を極力抑えることができるように高い乾燥度を維持するためには、空気加熱ヒータを１０５０Ｗ、光放射ヒータを３００Ｗ（出力比率が約８：２）にするのが好ましいことがわかる。
【００４６】
そこで、洗濯乾燥機１００の実験機において、空気加熱ヒータ１０５０Ｗと光放射ヒータ３００Ｗ（色温度が２２００Ｋ）を設置し、同時に併用加熱した場合に、循環風量増加なし、回転ドラム容量増加なしの条件で衣類４ｋｇを約１５０分間で乾燥させたところ、表２に示すとおり、衣類の平均乾燥度は空気加熱ヒータ１３５０Ｗのみで乾燥させた場合とほぼ同等となった。このとき、空気加熱ヒータ１３５０Ｗのみで乾燥させた場合と比較して、空気温度を約２０度低下させることができ、衣類温度を約１０度低下させることができた。したがって、本発明によれば、従来の空気加熱ヒータのみを用いた場合と同程度の乾燥性能を維持したまま熱風温度および衣類温度を低下させることができることがわかる。
【００４７】
【表２】
2005304992.tif 000004
ここで、乾燥時の空気温度と変色の度合いを示す色差（ΔＥ）との関係を調べた結果を図４に示す。この結果は、木綿タオルを脱水直後から図４の横軸に示す各温度の空気下で４時間乾燥させたものと原布とを比較して得られたものである（原布の色差＝０）。木綿タオルをすべて同様の条件で洗濯した後、脱水し、乾燥前の脱水度は約６０％であり、このときの含水率は約６７％であった。乾燥手段として空気加熱ヒータと送風機を用いたが、温度を一定に保つため、通常の洗濯乾燥機ではなく、恒温乾燥室内に木綿タオルを吊り下げて乾燥させた。
【００４８】
脱水度は次の式で示される。
【００４９】
脱水度［％］＝（乾燥布重量[ｇ]／含水布重量［ｇ]）×１００
含水率は次の式で示される。
【００５０】
含水率[％]＝｛（含水布重量[ｇ]−乾燥布重量[ｇ]）／乾燥布重量[ｇ]｝×１００
図４に示すとおり、乾燥時の空気温度が１００℃から８０℃に低下した場合、色差の値は約２．２から１．８と低下していることがわかる。このときの木綿タオルの変色の度合いの差は、視覚的にも認識できるものであった。よって、本発明により、前述のように乾燥時の空気温度を約２０度低下させることによって、変色を抑制することができるといえる。
【００５１】
以上の実験結果から、本発明の洗濯乾燥機では、空気加熱ヒータのみを用いて乾燥時間ｔ１、乾燥雰囲気の最高温度Ｔ１の条件で衣類を乾燥した場合に得られる乾燥度Ｒ１とほぼ同一の乾燥度Ｒ２が温度Ｔ１よりも低い乾燥雰囲気の最高温度Ｔ２で得られるように、空気加熱ヒータと光放射ヒータを併用し、空気加熱ヒータと光放射ヒータの出力比率を制御して、乾燥時間ｔ１とほぼ同一の乾燥時間ｔ２で衣類を乾燥させることにより、空気加熱ヒータのみを用いた場合に比べて乾燥性能を低下させることなく、乾燥時の空気温度と衣類温度を低下させることができ、衣類の変色等の衣類の熱損傷を抑制することができることがわかる。
【００５２】
また、上記の作用効果を達成するために空気加熱ヒータと光放射ヒータの出力比率がほぼ８：２になるように制御して衣類を乾燥させるのが好ましいことがわかる。
【００５３】
なお、以上の乾燥試験結果では、本発明の洗濯乾燥機１００の実験機において空気加熱ヒータと光放射ヒータの出力比率を約８：２になるように制御するのが適当であるとした。しかし、図５に示すようにハロゲンヒータの放射波長に対する放射エネルギー特性（左縦軸）と綿布の波長依存吸収特性（右縦軸）により、脱水度の低い状態ほど、つまり布に含む水分が多いほど、布は輻射エネルギーを効率良く吸収するものといえる。このことから、たとえば、乾燥工程の初期に光放射ヒータの出力比率を高く設定し、乾燥工程の進行に従って空気加熱ヒータの出力比率を徐々に高くする、乾燥工程の初期に所定の出力の光放射ヒータ（１３５０Ｗ）のみを使用し、乾燥工程の後半に光放射ヒータと同一の出力の空気加熱ヒータのみ（１３５０Ｗ）を用いる、乾燥工程の初期に所定の出力比率で光放射ヒータと空気加熱ヒータを併用し、乾燥工程の後半に空気加熱ヒータのみ（１３５０Ｗ）を用いる、等の制御も考えられる。このような場合には、さらなる乾燥性能の向上や衣類の熱損傷の低減も期待することができる。したがって、本発明の洗濯乾燥機および衣類乾燥機において、空気加熱ヒータと光放射ヒータの最適な出力比率は、約８：２であることに限定されるものではない。
【００５４】
また、以上の実施の形態と実施例では、衣類乾燥機能を備えた洗濯乾燥機を例にして説明したが、洗濯機能を備えていない衣類乾燥機においても、同様の構成により上述した作用効果を達成することができる。
【００５５】
以上に開示された実施の形態と実施例はすべての点で例示であって制限的なものではないと考慮されるべきである。本発明の範囲は、以上の実施の形態と実施例ではなく、特許請求の範囲によって示され、特許請求の範囲と均等の意味および範囲内でのすべての修正や変形を含むものである。
【図面の簡単な説明】
【００５６】
【図１】この発明の一つの実施の形態として洗濯乾燥機の概略的な構成を示す側断面図である。
【図２】光ヒータユニット２０の構成例を示す概略的な側断面図（Ａ）と正面図（Ｂ）である。
【図３】空気加熱ヒータと光放射ヒータの出力比率と乾燥度との関係を測定した結果を示す図である。
【図４】乾燥時の空気温度と変色の度合いを示す色差（ΔＥ）との関係を測定した結果を示す図である。
【図５】ハロゲンヒータの放射波長に対する放射エネルギー特性（左縦軸）と綿布の波長依存吸収特性（右縦軸）を示す図である。
【符号の説明】
【００５７】
１：本体、２:水槽、３:回転ドラム、６：衣類、１０:空気加熱ヒータ、２０:光ヒータユニット、２１:ハロゲンヒータ、３２:小孔、１００:洗濯乾燥機。
【図１】
2005304992.tif 000005
【図２】
2005304992.tif 000006
【図３】
2005304992.tif 000007
【図４】
2005304992.tif 000008
【図５】
2005304992.tif 000009